(57)【要約】      （修正有）【課題】商品の販売促進が可能となるとともに、記念品収納用具を顧客宛に宅配便を用いて送付する際に、イベント情報をインパクトを持って効率よく行うことができる来店促進システムを提供する。【解決手段】折り畳んだ状態の千両箱１を採用し、この千両箱１を折り畳んだ状態で、宅配便の送り先が印刷もしくは貼付可能で店の案内情報を備えた巻き紙案内状２を巻き付けて固定し、店が来客を希望する顧客宛に、宅配便を用いて送付する。巻き紙案内状２には、店表示スペースや、記念品スペース４、仕組み説明スペース、イベントスペース６があり、宅配便を用いて送付する際に、イベント情報の提供をインパクトを持って効率よく行い、来店記念品の説明も十分なスペースを設けて表示することができるようにしている。【選択図】図１
0003205696.tif 000002
【実用新案登録請求の範囲】
【請求項１】
顧客が来店記念品を持ち帰ることができるイベントの参加のために使用する来店記念イベント参加用具と、
前記来店記念イベント参加用具を送付するための巻き紙案内状と、
を有し、
前記来店記念イベント参加用具に前記巻き紙案内状を巻き付けて一体とし、前記巻き紙案内状には、顧客への送付先を表示するための送先スペースと、送付人である店の表示を行うための店表示スペースと、顧客が来店記念イベント参加用具を持参した時に来店記念品として持ち帰ることができる記念品の説明を表示する記念品スペースと、顧客が記念品を持ち帰ることができる条件を表示する仕組み説明スペースと、店が主催するイベントの場所と期間と内容を表示するイベントスペースと、を備えている来店促進システム。
【請求項２】
前記来店記念イベント参加用具は、顧客が持ち帰ることができる来店記念品を収納するための記念品収納用具であり、店が来客を希望する顧客宛に宅配便、郵便等を用いて記念品収納用具を送付し、送付を受けた顧客が店へ来客した際、記念品収納用具に店側が用意した所定の持ち帰り来店記念品を収納して、持ち帰ることができるようにしたものである、請求項１に記載の来店促進システム。
【請求項３】
前記来店記念イベント参加用具は、店が開催するイベントの参加に必要なゲーム用具であり、さらにこれらはコイン、鍵もしくは紙相撲の力士をボール紙や紙に埋め込み、あるいは貼り付けたものである請求項１に記載の来店促進システム。
【請求項４】
前記巻き紙案内状は用紙の裏表に両面印刷し、前記来店記念イベント参加用具に対向する裏面には、顧客が来店記念イベント参加用具を持参した時に来店記念品として持ち帰ることができる記念品の説明を表示する記念品スペース、顧客が記念品を持ち帰ることができる条件を表示する仕組み説明スペース、店が主催するイベントの場所と期間と内容を表示するイベントスペース、の少なくともいずれか一つのスペースを設けた請求項１から３のいずれかに記載の来店促進システム。
【考案の詳細な説明】
【技術分野】
【０００１】  本考案は、宅配便や郵便等を用いて顧客宛に送付するための来店記念イベント参加用具を送るための来店促進システムに関し、販売店等が来客を希望する顧客宛に来店促進用イベント記念品を送ることができる来店促進システムに関するものである。
【背景技術】
【０００２】    宅配便、あるいはダイレクトメールなどを用いて商品の販売店への集客販売促進を案内するために、来店記念イベント参加用具を顧客に送付することは、従来から行われている（たとえば特許文献１）。この特許文献１では、来店記念イベント参加用具として折りたたみの箱を送付し、来店時に顧客が記念品収納用具としての箱を持参して、来店記念品を箱に詰めて帰ることができるようにしている。イベント参加用具を顧客に送付することで、顧客がイベントに興味を持つことができ、来店率を高めることができるとともに、来店記念品として、キッチン用品、お掃除用品、焼き栗、装飾品、化粧品、たまねぎなどの野菜、みかんなどの果物等、菓子や卵など幅広い選択肢の中から選ばれた記念品を、顧客は店への来客時に来店記念イベント参加用具に詰めて持ち帰ることができるので、顧客の店での滞在時間を長くすることができるという利点があり、販売促進方法としては優れたものである。
【先行技術文献】
【０００３】
【特許文献１】  特許第４６２６８３６号公報
【考案の概要】
【考案が解決しようとする課題】
【０００４】  従来の来店促進システムにおいては、宅配便や郵便で顧客に送るための送り先が印刷されている巻き紙案内状を来店記念イベント参加用具に巻きつけて顧客に送付している。これらの巻き紙案内状は、顧客への送り先を明確にすることと、店に来ていただくための案内情報を備えたものであり、巻紙としてのインパクトが少なく、顧客が来店したくなるような情報が提供されていなかったという課題があった。【０００５】  本考案は、このような来店促進システムにおける顧客へのインパクト不足という課題を解決し、顧客に斬新な印象と興味を与えて集客率を高めることが可能な情報を提供できる来店促進システムを提供することを目的とする。
【課題を解決するための手段】
【０００６】  上記課題を解決するため、本考案の来店促進システムは、顧客が来店記念品を持ち帰ることができるイベントの参加のために使用する来店記念イベント参加用具と、
前記来店記念イベント参加用具を送付するための巻き紙案内状と、
を有し、前記来店記念イベント参加用具に前記巻き紙案内状を巻き付けて一体とし、前記巻き紙案内状には、送付人である店の表示を行うための店表示スペースと、顧客が来店記念イベント参加用具を持参した時に来店記念品として持ち帰ることができる記念品の説明を表示する記念品スペースと、顧客が記念品を持ち帰ることができる条件を表示する仕組み説明スペースと、店が主催するイベントの場所と期間と内容を表示するイベントスペースと、を備えているものである。【０００７】  また、前記来店記念イベント参加用具は、顧客が持ち帰ることができる来店記念品を収納するための記念品収納用具であり、店が来客を希望する顧客宛に宅配便、郵便等を用いて記念品収納用具を送付し、送付を受けた顧客が店へ来客した際、記念品収納用具に店側が用意した所定の持ち帰り来店記念品を収納して、持ち帰ることができるようにしたものである。この記念品収納用具記は、顧客が組み立て箱にすることが可能な折りたたみ式の箱や、折り込み式の袋、巾着式の袋などであって良い。【０００８】  また、前記来店記念イベント参加用具は、店が開催するイベントの参加に必要なゲーム用具であり、さらにこれらはコイン、鍵もしくは紙相撲の力士をボール紙や紙に埋め込み、あるいは貼り付けたものである。また、前記巻き紙案内状は用紙の裏表に両面印刷し、前記来店記念イベント参加用具に対向する裏面には、少なくとも以下のいずれか一つのスペースを設けても良い：すなわち、顧客が来店記念イベント参加用具を持参した時に来店記念品として持ち帰ることができる記念品の説明を表示する記念品スペース、顧客が記念品を持ち帰ることができる条件を表示する仕組み説明スペース、店が主催するイベントの場所と期間と内容を表示するイベントスペースのいずれかのスペースを裏面に設けても良い。
【考案の効果】
【０００９】    本考案によれば、本考案の来店促進システムにおける来店記念イベント参加用具を、店が来客を希望する顧客宛に宅配便や郵便を用いて送付し、送付を受けた顧客が店へ来客した際、持参した来店記念イベント参加用具でイベントに参加でき、イベントの参加の結果として所定の来店記念品持ち帰ることができるようにし、巻き紙案内状によって、顧客が来店記念イベント参加用具を持参した時に来店記念品として持ち帰ることができる記念品の説明を表示する記念品スペースと、顧客が記念品を持ち帰ることができる条件を表示する仕組み説明スペースと、店が主催するイベントの場所と期間と内容を表示するイベントスペースと、から得られる情報により顧客がイベントに興味を持ち、顧客の店への来店率を高め、滞在時間を長くすることが可能となり、店での商品の販売促進が可能となる。
【図面の簡単な説明】
【００１０】
【図１】  本考案の実施例の来店促進システムにおける来店記念イベント参加用具として、宅配便や郵便を用いて送付する記念品収納用具に送付案内用の巻き紙案内状を巻き付けた状態の宅配物の正面図である。
【図２】  同実施例における巻き紙案内状の各表示スペースの例を示す巻き紙案内状を巻き付けた状態の宅配物の背面図である。
【図３】  （ａ）本考案の別の実施例における来店記念イベント参加用具としてのコインの例を示す説明図、（ｂ）本考案の別の実施例における来店記念イベント参加用具としての鍵の例を示す説明図、（ｃ）本考案の別の実施例における来店記念イベント参加用具としての紙相撲力士の例を示す説明図である。
【考案を実施するための形態】
【実施例】
【００１１】  本考案の実施例を図１および図２により説明する。図１は本考案の実施例における来店促進システムにおける来店記念イベント参加用具として、宅配便を用いて送付する記念品収納用具を用い、送付案内手段である巻き紙案内状を巻き付けた状態とした宅配物の正面図である。【００１２】  本実施例における宅配便または郵便を用いた来店記念イベント参加用具１として、顧客が持ち帰ることができる来店記念品を収納するための記念品収納用具を用いている。記念品収納用具として、組み立てると段ボールの千両箱となる折り畳んだ状態の千両箱を採用している（以下記念品収納用具としての記念品収納用具である千両箱を「千両箱１」と記す。）。「千両箱１」を折り畳んだ状態で、宅配便の送り先が印刷もしくは貼付可能で店の案内情報を備えた送付案内手段としての巻き紙案内状２を巻き付けて固定し一体化して、店が来客を希望する顧客宛に、宅配便（ゆうメールなども含むが以後総称して宅配便とする。）を用いて送付する。宅配便の送り先が巻き紙案内状２には印刷もしくは貼付されている。千両箱１の送付を受けた顧客は、店（常設店舗でもよいが、特設会場等も店とする。）へ来客し、千両箱１に店があらかじめ必要数を用意した所定の持ち帰り来店記念品（本実施例では、キッチン用品、お掃除用品としている）を千両箱１が締めることができる程度まで詰め込み、収納して持ち帰ることができるようにしている。所定の持ち帰り来店記念品は、本実施例では、キッチン用品、お掃除用品としているが、焼き栗、装飾品、化粧品、たまねぎなどの野菜、みかんなどの果物等を適宜選択し、用意する。【００１３】  来店記念品を収納するための記念品収納用具（千両箱１）は、折り畳んだ状態で宅配便を用い送られ、折りたたみ状態で、厚さが２センチ以下に設計することで、より安価な宅配便を用いることが可能となる。記念品収納用具１は、段ボール箱の他に、プラスチック製の袋等であって良い。この記念品収納用具記は、顧客が組み立て箱にすることが可能な折りたたみ式の箱のほかに、折り込み式の袋、巾着式の袋などであって良い。【００１４】  次に、来店記念イベント参加用具（千両箱１等）を送付するための巻き紙案内状２について説明する。図１に示すように、巻き紙案内状２は、来店記念イベント参加用具（千両箱１等）に巻き付けて一体とし、巻き紙案内状２には、送付人である店の表示を行うための店表示スペース３と、顧客が来店記念イベント参加用具を持参した時に来店記念品として持ち帰ることができる記念品の説明を表示する記念品スペース４と、顧客が記念品を持ち帰ることができる条件を表示する仕組み説明スペース５と、店が主催するイベントの場所と期間と内容を表示するイベントスペース６と、を紙に直接印刷あるいはタグ貼り付け等で備えている。【００１５】  特に、顧客が記念品を持ち帰ることができる条件を表示する仕組み説明スペース５では、顧客が来店記念イベント参加用具の持参を促進するように、持参をした来店記念イベント参加用具（千両箱１等）に来店記念品を詰め放題できる旨を記載するなどして、注意喚起する。また、持ち帰ることができる記念品の説明を表示する記念品スペース４では、記念品の説明を写真等で表示し��記念品の魅力をアピールするスペースとしている。店が主催するイベントの場所と期間と内容を表示するイベントスペース６では、来場した際に顧客が持参した来店記念イベント参加用具（千両箱１等）に来店記念品を詰め放題できる手順をステップごとに図等で説明しイベントの内容を盛り上げる情報を載せる。【００１６】  なお、来店記念イベント参加用具を上記実施例では顧客が持ち帰ることができる来店記念品を収納するための記念品収納用具とし、店側が用意した所定の持ち帰り来店記念品を収納して、持ち帰ることができるようにしているが、別の実施例では、来店記念イベント参加用具を店が開催するイベントの参加に必要なゲーム用具として顧客に送付するように構成している。【００１７】  以下に、本考案の別の実施例に付き説明する。図３（ａ）に示すように、この場合における来店記念イベント参加用具１は、コイン７であり、顧客は、来店時にコイン７を用いて記念品をゲーム器具で当てたり、コイン７を水面に投じて水面下にあるコップ等に入れて、結果次第で異なる記念品を貰うイベントを楽しむこととしている。【００１８】  以下に、本考案のさらに別の実施例に付き説明する。図３（ｂ）に示すように、この場合における来店記念イベント参加用具１は、鍵８であり、送られてきた鍵８を顧客は持参し、これを用いて記念品の入っている色々な宝箱を開け結果次第で異なる記念品を貰うイベントを楽しむこととしている。【００１９】  以下に、本考案のさらに別の実施例に付き説明する。図３（ｃ）に示すように、本考案の別の実施例における来店記念イベント参加用具としては、紙相撲力士９を採用しており、顧客は、送られて来た紙相撲力士９を持参して、来店時に持参した紙相撲力士９を用いて店で紙相撲を行う。勝敗結果等に従い異なる記念品を貰うイベントを楽しむこととしている。【００２０】  これらの来店記念イベント参加用具は、店が開催するイベントの参加に必要なゲーム用具として顧客に巻き紙案内状２により送付される。【００２１】  また、前記巻き紙案内状は用紙の裏表に両面印刷し、前記来店記念イベント参加用具に対向する裏面には、少なくとも以下のいずれか一つのスペースを設けても良い：すなわち、顧客が来店記念イベント参加用具を持参した時に来店記念品として持ち帰ることができる記念品の説明を表示する記念品スペース、顧客が記念品を持ち帰ることができる条件を表示する仕組み説明スペース、店が主催するイベントの場所と期間と内容を表示するイベントスペースのいずれか。
【産業上の利用可能性】
【００２２】  本考案は、従来の課題であった集客と販売促進の効果的な方法であり、情報を効率良く顧客に伝え集客でき、住宅販売、車、宝石、着物などの高額商品を対象にする場合に効果的に使用可能である。
【符号の説明】
【００２３】１  千両箱（来店記念イベント参加用具）、
２  巻き紙案内状、
３  店表示スペース３、
４  記念品スペース４、
５  仕組み説明スペース５、
６  イベントスペース６、
７  コイン、
８  鍵、
９  紙相撲力士。
【図１】
0003205696.tif 000003
【図２】
0003205696.tif 000004
【図３】
0003205696.tif 000005